(57)【要約】【課題】水平床と前記水平床から上側に向けて設けられた立上がり壁を有する防水下地の前記水平床に敷設される下地板に固定具を接合しようとした場合、接合面の勾配や表面の凹凸によって固定具が浮いてしまい、接着不良や固定具目地の段差が発生してしまうため納まりが悪く、防水層が形成しにくくなる。【解決手段】前記立上がり壁に接合される立上がり片と前記立上がり片から略直角に連続して設けられ前記下地板の上に配置される水平片とを有する固定具と、前記固定具の前記水平片と前記下地板の上に敷設され、前記水平片に接合される防水層と、を備える防水構造、固定具、および施工方法。【選択図】図１
2020070691.tif 000002
【特許請求の範囲】
【請求項１】
水平床と前記水平床から上側に向けて設けられた立上がり壁を有する防水下地の前記水平床に敷設される下地板と、
前記立上がり壁に接合される立上がり片と前記立上がり片から略直角に連続して設けられ前記下地板の上に配置される水平片とを有する固定具と、
前記固定具の前記水平片と前記下地板の上に敷設され、前記水平片に接合される防水層と、を備える防水構造。
【請求項２】
前記立上がり片が前記水平床に接していない請求項１に記載の防水構造。
【請求項３】
前記立上がり片が、立上がり壁に沿ってかつ前記水平片から前記水平床に向かって設けられ、前記立上がり壁と前記下地板の間に配置されている請求項１または請求項２に記載の防水構造。
【請求項４】
前記立上がり片が、立上がり壁に沿ってかつ前記水平片から上側に向かって設けられている請求項１〜請求項３のいずれか１項に記載の防水構造。
【請求項５】
前記固定具が前記水平片に爪部を備え、前記爪部が前記下地板に突き刺せられている請求項１〜請求項４のいずれか１項に記載の防水構造。
【請求項６】
前記立上がり片を前記立上がり壁に接合する接合剤を備え、前記接合剤の粘度が２５０Ｐａ・ｓ以上２６００Ｐａ・ｓ以下である請求項１〜請求項４のいずれか１項に記載の防水構造。
【請求項７】
前記接合剤の乾燥前後での体積減少率が１０％以下である請求項６に記載の防水構造。
【請求項８】
水平床と前記水平床から上側に向けて設けられた立上がり壁を有する防水下地の前記水平床に敷設される下地板と、前記下地板の上に敷設される防水層との間に配置される水平片と、
前記立上がり壁に沿って配置され前記立上がり壁に接合される立上がり片とを備え、
前記立上がり片から略直角に連続して前記水平片が設けられている前記防水層を前記下地板の上に固定するための固定具。
【請求項９】
前記立上がり片を前記水平片から前記水平床に向けて配置された際に前記立上がり片が前記水平床に達しない長さである請求項８に記載の固定具。
【請求項１０】
前記立上がり片と前記立上がり片から略直角に連続して設けられた前記水平片とにより略Ｌ字構造を有する請求項８または請求項９に記載の固定具。
【請求項１１】
前記立上がり片と前記立上がり片から略直角に連続して設けられた２つの前記水平片とにより略Ｔ字構造を有する請求項８〜請求項１０のいずれか１項に記載の固定具。
【請求項１２】
前記水平片に前記下地板に突き刺される爪部を備えた請求項８〜請求項１１のいずれか１項に記載の固定具。
【請求項１３】
水平床と前記水平床から上側に向けて設けられた立上がり壁を有する防水下地の前記水平床に下地板を敷設する工程と、
前記下地板の上に防水層を敷設する工程と、
立上がり片から略直角に連続して水平片が設けられている固定具の前記水平片を前記下地層と前記防水層との間に配置し、前記立上がり片を前記立上がり壁に沿って配置するとともに前記立上がり片を前記立上がり壁に接合する工程と、
前記防水層を前記水平片に接合し前記防水層を前記下地板の上に固定する工程とを備える防水構造の施工方法。
【発明の詳細な説明】
【技術分野】
【０００１】
本発明は、屋上や屋根、ベランダ等の防水構造の立上がり壁を有する入隅部に使用する固定具および該固定具を用いる防水構造、施工方法に関する。
【背景技術】
【０００２】
従来、ベランダ、バルコニー、陸屋根等における躯体の防水を行うために防水シートを用いた防水施工が行われている。ここで、躯体にパラペット部分や太陽光パネルなどの屋上機器の架台など、躯体の水平面から垂直方向に設けられた立上がり壁を有している場合がある。この様な場合、躯体の水平面と立上がり壁で構成される入隅部においては、風圧や躯体の動きなどで防水シートに荷重が集中することから、防水シートが剥離しないように固定する必要がある。多くの場合、入隅部の固定強度や耐久性を確保するため、立上がり壁に沿って鋼板などでできた固定具を取り付けてその固定具に防水シートを固定するという方法が用いられている。
【０００３】
固定具は通常、下地の水平面にビスなどで機械固定されるか、もしくは接着剤で下地に接着される。防水シートの下側（躯体側）に断熱材や補強板など複数の下地板が積層される場合、固定具は防水シートと接する状態に配置し、固定具より下側に配置された下地板をビスなどで貫通させて下地に固定する。また、別の方法として、下地板の上に固定具を接着し下地板と固定具の上に防水シートを接合する。
【０００４】
特許文献１には、下地と、該下地から立ち上がる立上がり部と、前記下地の上面に積層され、少なくとも断熱層及び防水層を含む複数の層と、を備える屋根の断熱防水構造であって、前記立上がり部と前記複数の層との境界に沿って延びる縁取り用金具を備えており、前記縁取り金具が、前記縁取り金具が配置された層に接着剤を用いて固定されていることを特徴とする、屋根の防水構造が開示されている。
また、前記縁取り用金具は、前記複数の層のうち何れか一つの層の端部上面に配置される押え板部と、前記立上がり部に面する前記押え板部の側端から前記下地の上面まで延びる支持部と、前記支持部の下端から、前記押え板部と同じ方向に延びるフランジ部と、を備えており、前記縁取り用金具は、前記押え板部が配置される層から下地の上面に配置される層までの層の端部を、前記押え板部と前記フランジ部との間に配置することで、前記層の端部に固定されている、ことを特徴とする屋根の断熱防水構造も開示されている。
【先行技術文献】
【特許文献】
【０００５】
【特許文献１】特許第５５３４９５６号公報
【発明の概要】
【発明が解決しようとする課題】
【０００６】
しかし、特許文献１等の従来技術の様に固定具を水平床、もしくは下地板の上に接着すると、水平床や下地板等の接着面の勾配や凹凸に影響されて固定具が接着面から浮き、固定具が部分的に接着されない等、固定具が水平床や下地板に充分に固定されないことが懸念される。
また、特許文献１で開示された、縁取り用金具の押え板部が配置される層から下地の上面に配置される層までの層の端部を、押え板部とフランジ部との間に配置することで、層の端部に固定されている方法では、下地の勾配や凹凸の影響を受けて固定具が下地に充分に固定されない場合がある。さらにこの場合には、固定具の押え板部とフランジ部の間に断熱材等の各層が配置されるため、各層も下地に対して充分に固定されない状態となることが懸念される。さらに、固定具が下地等の勾配や凹凸により充分に固定されない状態となると、固定板に接合される防水層も下地に対しての固定が不十分となるおそれがある。
【０００７】
すなわち、本発明においては、固定具を用いて防水層を固定する場合に、下地等の勾配や凹凸の影響を受けにくく、固定具を下地等に対し充分に固定することで防水層をより安定的に固定することを目的とする。
【課題を解決するための手段】
【０００８】
課題を解決するために用いた手段は、立上がり壁に固定具を固定することを要旨とするものである。具体的には、水平床と水平床から上側に向けて設けられた立上がり壁を有する防水下地の水平床に敷設される下地板と、立上がり壁に接合される立上がり片と立上がり片から略直角に連続して設けられ下地板の上に配置される水平片とを有する固定具と、固定具の水平片と下地板の上に敷設され、水平片に接合される防水層と、を備える防水構造とすることである。立上がり片が水平床に接していない防水構造や、立上がり片が、立上がり壁に沿ってかつ水平片から水平床に向かって設けられ、立上がり壁と下地板の間に配置されている防水構造や、立上がり片が、立上がり壁に沿ってかつ水平片から上側に向かって設けられている防水構造とすることが出来る。さらに、固定具が水平片に爪部を備え、爪部が下地板に突き刺せられている防水構造とすることが好ましく、立上がり片を立上がり壁に接合する接合剤を備え、接合剤の粘度が２５０Ｐａ・ｓ以上２６００Ｐａ・ｓ以下とすることや、接合剤の乾燥前後での体積減少率が１０％以下とすることもできる。
課題の解決に用いた固定具としては、水平床と水平床から上側に向けて設けられた立上がり壁を有する防水下地の水平床に敷設される下地板と、下地板の上に敷設される防水層との間に配置される水平片と、立上がり壁に沿って配置され立上がり壁に接合される立上がり片とを備え、立上がり片から略直角に連続して水平片が設けられている防水層を下地板の上に固定するための固定具とすることである。また、立上がり片を水平片から水平床に向けて配置された際に立上がり片が水平床に達しない長さである固定具としてもよいし、立上がり片と立上がり片から略直角に連続して設けられた水平片とにより略Ｌ字構造を有する固定具や、立上がり片と立上がり片から略直角に連続して設けられた２つの水平片とにより略Ｔ字構造を有する固定具とすることもできる。さらに、水平片に下地板に突き刺される爪部を備えた固定具とすることが好ましい。
また、施工方法としては、水平床と水平床から上側に向けて設けられた立上がり壁を有する防水下地の水平床に下地板を敷設する工程と、下地板の上に防水層を敷設する工程と、
立上がり片から略直角に連続して水平片が設けられている固定具の水平片を下地層と防水層との間に配置し、立上がり片を立上がり壁に沿って配置するとともに立上がり片を立上がり壁に接合する工程と、防水層を水平片に接合し防水層を下地板の上に固定する工程とを備える防水構造の施工方法を用いることが出来る。
【発明の効果】
【０００９】
本発明によれば、下地等の勾配や凹凸の影響を受けにくく、固定具を下地等に対し充分に固定し防水層を安定的に固定できる防水構造、固定具、および施工方法を提供することができる。
【図面の簡単な説明】
【００１０】
【図１】本発明の一実施形態の防水構造の部分断面図である。
【図２】本発明の一実施形態の固定具の断面図である。
【図３】本発明の一実施形態の固定具の変形例を示す防水構造の部分断面図である。
【図４】本発明の一実施形態の斜視図および部分断面図である。
【図５】下地に勾配のある場合の本発明の一実施形態の部分断面図である。
【図６】従来技術における斜視図および部分断面図である。
【図７】下地に勾配のある場合の従来技術における部分断面図である。
【図８】下地に凹凸のある場合の本発明の一実施形態の部分断面図である。
【図９】下地板の目地をまたいで固定具を用いる場合の本発明の一実施形態の斜視図である。
【発明を実施するための形態】
【００１１】
以下、本発明の実施形態について図面を用いて説明する。
【００１２】
本発明の第１実施形態について、図１、図２を用いて説明する。防水下地Ｓは水平床１と水平床１から上側に向けて設けられた立上がり壁２を有している。そして、水平床１と立上がり壁２とで入隅部Ｉが構成されている。水平床１の上には下地板３が設けられ、固定具５は、入隅部Ｉに配置され立上がり片５１と立上がり片５１から略直角に連続して設けられた水平片５２を有している。固定具５の立上がり片５１は立上がり壁２に接合され、水平片５２は下地板３の上に配置されている。防水層４は下地板３と水平片５２の上に敷設され、さらに水平片５２と接合されている。
【００１３】
固定具５を立上がり壁２に接着することにより、水平床１の凹凸に影響されずに固定具５を防水下地Ｓに対して固定することができる。
【００１４】
より具体的には、防水下地Ｓは水平床１と立上がり壁２で構成されている。水平床１の上に下地板３として断熱材３１が敷設され、断熱材３１の上に防水層４として平場用の防水シート４１が敷設されている。断熱材３１は、水平床１に接合され、防水シート４１は断熱材３１に接合されている。固定具５は入隅部Ｉに設けられ、断熱材３１と防水シート４１の間に固定具５の水平片５２が配置され、断熱材３１と立上がり壁２との間に設けられた隙間に固定具５の立上がり片５１が配置されている。そして、立上がり片５１は立上がり壁２に接合されることで防水下地Ｓに対し固定された状態となる。さらに、水平片５２と防水シート４１とが接合されることで、防水シート４１は固定具５を介して防水下地Ｓに対しより安定的に固定されることとなる。
【００１５】
固定具５の水平片５２は断熱材３１に接合されていないことが好ましい。これは、水平床１の勾配や凹凸により断熱材３１にも勾配や凹凸があると、水平片５２を断熱材３１に接合すると固定具５が勾配や凹凸の影響でがたつきが生じ安定的に固定できなくなるおそれがある。これに対し、立上がり片５１は立上がり壁２に接合することで水平床１の勾配や凹凸により断熱材３１にも勾配や凹凸の影響を受けることなく、固定具５を防水下地Ｓに固定することができる。
なお、立上がり片５１が立上がり壁２に接合されていれば、水平片５２を断熱材３１に接合するために接着剤等を用いても良い。しかし、水平床１の勾配や凹凸の影響により水平片５１が部分的にしか断熱材３１に接合されないおそれがあり、補助的な固定の役割となる。
【００１６】
第１実施形態の変形例として、固定具５が長尺状である図４について説明する。固定具５は水平床１と立上がり壁２で構成される入隅部Ｉにおいて、立上がり壁２の長手方向に沿って、固定具５の長手方向を沿わせて配置されている。Ｂ−Ｂ’断面図は図１と同様である。なお、図４では説明のため防水層４を省略している。
【００１７】
ここで同様に、図６には従来技術において固定具Ｋが長尺状である例を示した。図６において、ＢからＣの方向へとＢからＡ方向に向けて勾配が設けられている場合がある。この様にある点から両側に勾配が設けられている場合に、その高い点（図６の場合点Ｂ）をまたいで固定具Ｋが配置されることがある。従来技術においては固定具Ｋが水平床１に立上がり壁２に沿って設置されている。そして、図６においてＤ方向から見た図７（７−２）の様に、固定具Ｋを水平床１に配置し固定すると、ＡまたはＣどちらかで浮きが生じる。さらに、Ｃに合わせて設置したとしても、Ａ側に振れるとＣ側が浮きがたつきが生じて安定的な固定ができない。ここで、図７（７−２）は図６におけるＤ方向から見た断面図で、説明のため下地Ｓの水平床１、立上がり壁２と固定具５のみを描き、その他の部材等は省略している。また、図７（７−１）は、図７（７−２）を正面図とすると左側面図に該当し、水平床１、立上がり壁２と固定具５のみを描き、その他は省略している。
【００１８】
本実施形態においては、図５の様に勾配があっても固定具５の立上がり片５１を立上がり壁２に接合することで水平床１の勾配によるがたつきを生じることなく固定することができる。ここで、図５（５−２）は図４におけるＤ方向から見た断面図で、説明のため下地Ｓの水平床１、立上がり壁２と固定具５のみを描き、その他の部材等は省略している。また、図５（５−１）は、図５（５−２）を正面図とすると左側面図に該当し、水平床１、立上がり壁２と固定具５のみを描き、その他は省略している。
また、防水下地Ｓの勾配は雨水の排水を考慮して設けられる場合が多く、勾配の位置や程度は建築物により適切に設定されるものであるため、固定具５が勾配のどの位置に設置されるかは一定ではない。したがって、固定具５を防水下地Ｓの勾配を考慮して設置したり、固定具５をその都度変更して設置することは施工の効率や作業性の面で好ましくない。したがって、防水下地Ｓの防水を行う際に、固定具５を立上がり壁２に固定することで、防水下地Ｓ、下地板の勾配や凹凸に依らず固定具５を安定的に固定することができる。
【００１９】
図８には水平床１に凹凸１０がある場合を示しており、この場合も図５と同様に、固定具５の立上がり片５１を立上がり壁２に接合することで水平床１の勾配によるがたつきを生じることなく固定することができる。ここで、図８（８−２）は図４におけるＤ方向から見た断面図に相当し、説明のため下地Ｓの水平床１、立上がり壁２、固定具５と凹凸１０のみを描き、その他の部材等は省略している。また、図８（８−１）は、図８（８−２）を正面図とすると左側面図に該当し、水平床１、立上がり壁２、固定具５と凹凸１０のみを描き、その他は省略している。
【００２０】
固定具５の立上がり壁２との接合には、接合剤６を用いるのが好ましい。図１において、接合剤６は立上がり壁２と固定具５の立上がり片５１との間に設けられている。
【００２１】
ここで、固定具５の立上がり片５１が水平床１に接していない変形例を図１に示している。立上がり片５１が水平床１に接していないため水平床の勾配や凹凸の影響をより受けにくくなり、防水下地Ｓの勾配や凹凸に依らず固定具５を安定的に固定することができるために好ましい。
【００２２】
図２には固定具５に爪部５３が設けられている変形例として固定具５ｂを示している。固定具５ｂの水平片５２の一方の端部には立上がり片５１が設けられ、水平片５２のもう一方の端部に爪部５３が設けられている。爪部５３は下地板３に突き刺すことで固定具５ｂを下地板３に対応させつつ固定具５をより強固に固定することができる。
【００２３】
また、下地板は複数枚を並べて使用する場合を図９に示した。図９において立上がり壁２に沿って下地板３が配置されているが、下地板３が立上がり壁２に沿って複数枚、設置される場合がある。この様な場合、隣り合う下地板３のつなぎ目で目地Ｍが生じ、この目地Ｍに段差が生じると、その目地Ｍをまたいで固定具、防水層を設けると固定具、防水層に段差やシワが生じるおそれがある。しかし、固定具５の立上がり片５１を立上がり壁２に接合することで、下地板３の目地Ｍをまたいで固定具５を設けても固定具に目地の段差の影響を受けにくく、固定具５に接合する防水層４にも段差によるシワ等の発生を抑制することができる。なお、図９では説明のため防水層４を省略している。
【００２４】
さらに、固定具５ｂの様に爪部５３を有し、爪部５３を下地板３に突き刺すことで、固定具５ｂが下地板３の目地をまたぐ場合でも固定具５が下地板３に固定され、さらに爪部５３によって段差を揃えられるため、防水層４のシワ等もより低減することができる。
【００２５】
防水下地Ｓである水平床１と立上がり壁２は、鉄筋コンクリート、ＡＬＣ造、木造、鋼製、金属折版屋根等の従来の防水構造に使用されているものであれば、どのような材質、構造であってもよい。また、既存防水層を含めて防水下地Ｓとしても良く、既存防水層としてはアスファルト防水、シート防水、ウレタン防水、ＦＲＰ防水等のどのような防水層が施工されている場合でもよい。既存防水層を含め防水下地Ｓとする場合としては、既存防水層の改修施工が例示できる。
【００２６】
下地板３は板状の部材であればどのような材質でもよいが断熱材や補強板を用いることが出来る。断熱材としては、硬質ウレタンフォーム、ポリスチレンフォーム、ポリエチレンフォーム等、一般的に防水層に使用されている断熱材を使用できる。補強板としては、セメント板、合板、無機質材を樹脂で固定化したケイカル板等の無機質板等が挙げられる。また、断熱材と補強板を組み合わせて使用してもよい。
ここで、爪部５３を有する固定具５ｂを用いる場合には、下地板３は比較的柔軟性があるものが好ましい。具体的には断熱材を用いることで、爪部５３が断熱材に突き刺しやすくなり作業性が良いという面で好ましい。
【００２７】
防水層４は防水シートが好ましく用いられる。防水シートとしては、ポリ塩化ビニル樹脂系、加硫ゴム系、非加硫ゴム系、熱可塑性エラストマー系、エチレン酢酸ビニル樹脂系等、一般的な防水シートが使用できる。水平床１には平場用の防水シートを用い、立上がり壁２には立上がり用防水シートを用いることが出来る。平場用の防水シートと立上がり用の防水シートは同一のものを用いても良いし、それぞれ異なる種類の防水シートを用いてもよい。
防水シートは熱可塑性樹脂層の単層でも良いが、寸法安定性、引張強度に優れるという点からガラスクロス、ガラス不織布、ポリエステルクロス、ポリエステル不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
【００２８】
固定具５は、図２に示すように立上がり壁２に接合される立上がり片５１と立上がり片５１から連続して設けられた水平片５２を有し、立上がり片５１と水平片５２とは略直角をなしている。固定具５ａの断面は略Ｌ字形となっている。変形例として固定具５ｂの様には爪部５３を有することが好ましい。爪部５３は水平片５２の立上がり片５１とつながる側とは逆の端部に突起部分を防水下地の水平床１側に設けられている。図２の例では爪部５３は立上がり片５１と同じ方向に向けて設けられている。
また、固定具５は立上がり壁２に沿って設けられるため、作業性、施工性の点から立上がり壁２に沿って長く長尺状とすることが好ましい。すなわち、立上がり片５１と水平片５２とで構成される断面が連続して形成され、板状の立上がり片５１と板状の水平片５２とで略Ｌ字に組み合わされた様な形状となっている。
【００２９】
立上がり片５１は立上がり壁２に沿って、水平片５２を水平床１と対向して配置した際に下方向、すなわち水平床１方向へ設けられるのが好ましい。これにより、立上がり片５１が立上がり壁２と下地板３の間に挟みこまれることとなり、安定的に固定具５が固定される。また立上がり片５１を立上がり壁２に接合する際に、接合の初期において安定して固定具５を固定でいるため好ましい。
立上がり片５１は図３（３−２）に示すように水平片５２から上側に設けても良い。また、図３（３−３）のように立上がり片５１を水平片５２の上下に設けることもできる。固定具５ｃは断面略Ｚ形状となり、固定具５ｄは断面略Ｔ字形状となっている。ここで、水平床１の勾配や凹凸の影響を低減するために固定具５は水平床１に接していないのが好ましい。よって、立上がり片５１は水平床１に接していないことが好ましくため、下地板３の厚みが薄いときには立上がり片５１の長さも下地板３の厚みよりも短くすることが好ましい。したがって、下地板３の厚みに合わせると立上がり片５１として十分な接合面積を確保できない場合には、立上がり片５１を水平片１から上側に設けた固定具５ｃ、５ｄを用いることが好ましい。
【００３０】
水平片５２は防水層４と接合する必要があるため、下地板３の上、防水層４の下に配置される。水平片５２の長さは防水層４の接合に十分な寸法とする。防水層４の接合部は、４０ｍｍ以上の接合面が確保できることが望ましいが、４０ｍｍ〜２００ｍｍ以下が好ましい。
【００３１】
爪部５３は、長さが下地板３に突き刺して十分に固定できる長さであればよい。ただし、水平床２に接触しないように、下地板３の厚みよりも短くすることが好ましい。これにより、固定具５が水平床１の勾配や凹凸の影響を受けることを低減できる。特に、立上がり片５１を立上がり壁２に接合する際に、立上がり片５１が立上がり壁２に固定される前の固定具５のずれや浮きを低減し、より納まり良く防水層４を敷設できる。
【００３２】
固定具５は、防水層４を下地に対しより安定的に固定するために用いられる。そのため、適度な剛性と強度を有することが好ましく、金属製、樹脂製、木製等が用いられる。剛性と強度の面から金属製が好ましい。固定具５の表面は防水層４と接合され、その接合は熱融着もしくは溶剤溶着が好ましい。そのため、固定具５の防水層４と接する面、通常は水平床１に対して上方となる上面を防水層４と溶着または融着できる材質で被覆されていることが好ましい。防水層４が熱可塑性樹脂系の防水シートであれば、固定具５の被覆も熱可塑性樹脂系とすることが好ましい。
具体的に例示すると、防水層４をポリ塩化ビニル樹脂系防水シートとした場合、固定具５の上面（防水層４と接する面）はポリ塩化ビニル樹脂系層で被覆されていることが好ましい。これにより、防水層４であるポリ塩化ビニル樹脂系防水シートと固定具５の上面に被覆されたポリ塩化ビニル樹脂系層とを熱による融着または溶剤による溶着が可能となり、防水層４と固定具５を強固に接合することが出来る。
また、固定具５の上面と対向する下面（水平床１に近い面）にも熱可塑性樹脂系等の被覆を行うことが好ましい。特に固定具５が金属製である場合、固定具５の腐食等を防ぐ保護層としても下面に被覆を設けることが好ましい。上記の具体例では、下面もポリ塩化ビニル樹脂系層で被覆されていることが好ましい。
【００３３】
固定具５の立上がり片５１を立上がり壁２に接合する際に用いる接合剤６としては、例えばシリコーン系、変性シリコーン系、ポリサルファイド系、ポリウレタン系、エポキシ系、変性エポキシ系、アクリル系、スチレンブタジエンゴム系、ニトリルゴム系、ブチルゴム系等の接合剤を使用できる。
【００３４】
立上がり壁２表面に少々凹凸があったとしても、固定具５のずれは水平方向になるため防水層を敷設する際の妨げにはならない。また、固定具の接合剤６を厚くすることで、立上がり壁２の凹凸を緩衝することができる。したがって、垂直面である立上がり壁２に接合剤６を厚く塗布するためには、接合剤６の粘度は比較的高いものが望ましい。具体的には、２５０Ｐａ・ｓ〜２６００Ｐａ・ｓが好ましい。
【００３５】
さらに、接合剤６を厚く塗布する場合には、乾燥後に接合剤６が立ち上り壁２や固定具５の立上がり片５１から剥離するのを防ぐため、乾燥後の体積変化が極力少ない接合剤６が望ましい。具体的には、体積減少率が１０％以下のものが望ましい。
【００３６】
立上がり壁２と立上がり片５１の接合面については、立上がり壁２の表面の材質によっては立上がり片５１と接合剤６との接合性をよくするために表面処理を行う場合もある。具体的には表面処理剤やプライマーの塗布が例示できる（図示しない）。処理剤やプライマーについては、固定具の接合剤６と接合性が良いものを用いるのが好ましい。
【００３７】
下地板３は水平床１に固定されることが好ましい。図１には第１実施形態の変形例として下地板３が接合剤７により接合されている。下地板３を接合する接合剤７は立上がり片５１を接合する接合剤６と同じ接合剤を用いても良いし、別の接合剤を用いても良い。
下地板３を接合する接合材７は、例えばシリコーン系、変性シリコーン系、ポリサルファイド系、ポリウレタン系、エポキシ系、変性エポキシ系、アクリル系、スチレンブタジエンゴム系、ニトリルゴム系、ブチルゴム系等の接合剤を使用できる。
また、接合剤７は下地板７の全面に塗布しても良いが、図１の様に間隔を開けて接合剤７を塗布し、点状に接合剤を設けても良い。
【００３８】
本発明の第１実施形態にかかる施工方法について図１を用いて説明する。水平床１と立上がり壁２を有する防水下地Ｓに、下地板３を敷設する工程と、下地板３の上に防水層４を敷設する工程と、固定具５の立上がり片５１と連続して設けられた水平片５２を下地板３と防水層４の間に配置し、立上がり片５１を立上がり壁２に沿って配置するとともに立上がり片５１を立上がり壁２に接合する工程と、防水層４を水平片５２に接合し防水層４を下地板３の上に固定する工程がある施工方法となる。
【００３９】
より具体的には、水平床１の上に下地板３として断熱材３１を敷設し、固定具５の水平片５２を下地板３の上に配置し、さらに立上がり片５１を入隅部Ｉにおける立上がり壁２と下地板３との間に入れ、立上がり片５１を立上がり壁２に接合する。そして、水平片５２と下地板３の上に防水層４である防水シート４１を敷設し、防水シート４１と水平片５２とを接合する。これにより、防水シート４１は固定具５を介して防水下地Ｓに対しより安定的に固定されることとなる。
【００４０】
固定具５が図９のように長尺の場合、固定具５を立上がり壁２に沿って配置する。このとき、水平床１、下地板３の勾配や凹凸により固定具５が不安定とならないように固定具５の位置を調整して立上がり壁２に固定する。また、下地板３が複数枚によって構成され下地板３に目地Ｍが設けられた場合にも、目地Ｍでの段差の影響を少なくするために、固定具５の位置を調整して固定するとともに、隣り合う固定具５との段差も少なるように調整して固定する。このように、固定具５は立上がり壁２に立上がり片５１を接合することで防水下地Ｓに対し固定されるため、水平床１、下地板３の影響を受けにくく、複数の固定具５の段差を小さくして固定することが出来る。
【００４１】
ここで、第１実施形態で図１の立上がり壁２は水平床１の端部に設けられたパラペット等として図示されている。しかし、立上がり壁２はパラペットのような水平床１の端部に設けられた部分だけでなく、水平床１から上方に向けて突き出た部分であればよい。例えば、水平床１に設けられた機器等を設置する架台であっても良い。架台は水平床１の端縁部ではなく、内側に設置され台座の周囲に立上がり壁２が設けられている場合にも、本発明を適応することが出来る。
【実施例】
【００４２】
以下に、本発明の実施例について説明する。
本発発明の実施例１を図１を用いて説明する。水平床１と立上がり壁２がコンクリートである防水下地Ｓに対して、下地板３として硬質ウレタンフォーム３１ａが敷設されている。硬質ウレタンフォーム３１ａは水平床１に変性シリコーン系接着剤７ａである接合剤７により固定されている。変性シリコーン系接着剤７ａは水平床１に間隔をあけて塗布されている。固定具５ａは、立上がり片５１と水平片５２とで構成され、立上がり片５１から水平片５２が連続して形成され、断面略Ｌ字形状となっている。固定具５ａの立上がり片５１は変性シリコーン系接着剤６ａを接合剤６として用いて、立上がり壁２に接合されている。立上がり片５１は水平床１には接触しておらず、硬質ウレタンフォーム３１ａの厚みより立上がり片５１の長さは少し短く設定されている。下地板３である硬質ウレタンフォーム３ａと固定具５の水平片５２の上には防水層４として平場用防水シート４１である平場用ポリ塩化ビニル樹脂系防水シート４１ａが敷設されている。平場用ポリ塩化ビニル樹脂系防水シート４１aは硬質ウレタンフォーム３１aとニトリルゴム系接着剤により固定されている。立上がり壁２には立上がり用ポリ塩化ビニル樹脂系防水シート４２aがニトリルゴム系接着剤により固定されている。ここで、固定具５ａはポリ塩化ビニル系樹脂層により上下面とも被覆された鋼板を用いている。固定具５の水平片５２の上のポリ塩化ビニル系樹脂層と平場用ポリ塩化ビニル樹脂系防水シート４１ａとは、溶剤により溶着されている。水平片５２と平場用ポリ塩化ビニル樹脂系防水シート４１ａとの接合は溶剤による溶着だけでなく、熱融着器を用いた熱融着によって接合してもよい。
【００４３】
接合剤６ａは粘度が２５０Ｐａ・ｓ〜５５０Ｐａ・ｓであり、乾燥前後の体積減少率が１０％以下の接合剤を使用することにより、初期接着時も固定具５を安定して固定することができた。
【００４４】
実施例１の変形例として、固定具５について爪部５３を有する固定具５ｂを用いることもできる。この場合、固定具５ｂの爪部５３を硬質ウレタンフォーム３１ａに突き刺すことで固定具５ｂがより安定的に固定されるために好ましい。硬質ウレタンフォーム３１ａの厚みが３５ｍｍに対して、変形例で用いた固定具５ｂの立上がり片５１の長さを３０ｍｍ、水平片５２の幅を５０ｍｍ、爪部５３の長さを１０ｍｍとした断面略Ｌ字状の固定具を使用した。
【００４５】
固定具５が長尺であり、下地板３が複数用いられる実施例２について、図９を用いて説明する。また、実施例１と異なる部分について説明を行い、実施例１と同じ構成については説明を省略した。下地板３として硬質ウレタンフォーム３１ａを立上がり壁２に沿って複数枚並べ、その上に固定具５ｂを配置している。長尺状で爪部５３を有している固定具５ｂは、長手側を立上がり壁２の長手方向に沿って、隣り合う硬質ウレタンフォーム３１ａの目地をまたぐように配置されている。水平床１の影響で隣り合う硬質ウレタンフォーム３１ａの目地に段差が生じていても立上がり片５１を立上がり壁２に固定し、爪部５３が硬質ウレタンフォーム３１ａが突き刺されている。爪部５３が硬質ウレタンフォーム３１ａが突き刺されることで、硬質ウレタンフォーム３１ａの動きを制限するとともに、爪部５３が高さが異なる隣り合う２つの硬質ウレタンフォーム３１ａに固定されるため、固定具５ｂがより安定的に固定される。
【００４６】
実施例１の変形例として、図１に示すように、固定具５に立上がり壁２に接合された立上がり用防水層４２を接合する例を説明する。固定具５の上に接合された平場用ポリ塩化ビニル樹脂系防水シート４１ａの上に立上がり用ポリ塩化ビニル樹脂系防水シート４２aを接合している。立上がり用ポリ塩化ビニル樹脂系防水シート４２aは固定具５ｂの水平片５２に対応する位置から入隅部Ｉを覆うように連続して立上がり壁２にかけて敷設固定されている。立上がり用ポリ塩化ビニル樹脂系防水シート４２aの敷設時の形状は断面視、略Ｌ字形状となっている。立上がり用ポリ塩化ビニル樹脂系防水シート４２aと立上がり壁２との接合は接着剤を用いることができ、本実施例ではニトリルゴム系接着剤を用いている。また、立上がり用ポリ塩化ビニル樹脂系防水シート４２aと平場用ポリ塩化ビニル樹脂系防水シート４１ａとの接合は、溶剤による溶着により接合されているが、熱融着器を用いた熱融着によって接合してもよい。
また、その他の変形例についても同様に立上がり用ポリ塩化ビニル樹脂系防水シート４２aを用いることが出来る。また、固定具５としては固定具５ｂ、５ｃ、５ｄ等を用いることもできる。
【００４７】
実施例１の施工方法について説明する。まず、水平床１の上に下地板３として硬質ウレタンフォーム３１ａを敷設し、固定具５ａの立上がり片５１の立上がり壁２と接触する面に接合剤６として変性シリコーン系接着剤６ａを塗布する。立上がり片５１を立上がり壁に沿って、硬質ウレタンフォーム３１ａと立上がり壁２の隙間に立上がり片５１を差し込む。硬質ウレタンフォーム３１ａと固定具５ａの水平片５２の上に平場用ポリ塩化ビニル樹脂系防水シート４１ａを敷設し、平場用ポリ塩化ビニル樹脂系防水シート４１ａはニトリルゴム系接着剤により硬質ウレタンフォーム３１ａに固定した。この時、水平片５２は硬質ウレタンフォーム３１ａと平場用ポリ塩化ビニル樹脂系防水シート４１ａの間に来るように配置する。なお、平場用ポリ塩化ビニル樹脂系防水シート４１ａは間隔をあけて水平床１に塗布した変性シリコーン系接着剤７ａにより固定した。水平片５２と平場用ポリ塩化ビニル樹脂系防水シート４１ａとは溶剤により溶着し、平場用ポリ塩化ビニル樹脂系防水シート４１ａを固定具５ａに固定した。これにより、固定具５は立上がり壁２に接合され、下地の凹凸と干渉せずに段差や浮きがなく固定具５ａを固定することができた。
【００４８】
実施例１の固定具５に爪部５３を有する固定具５ｂを用いた変形例の施工方法について説明する。水平床１の上に下地板３として硬質ウレタンフォーム３１ａを敷設し、固定具５ｂの立上がり片５１の立上がり壁２と接触する面に接合剤６として変性シリコーン系接着剤６ａを塗布する。立上がり片５１を立上がり壁に沿って、硬質ウレタンフォーム３１ａと立上がり壁２の隙間に立上がり片５１を差し込む。爪部５３に沿って、下地板３に深さ１０ｍｍ以上の切り込みを入れ、爪部５３を切り込みに差し込んだ。差し込む際にはハンマーなどで軽く固定具５ｂを叩くようにすることで簡単に差し込むことが可能となる。硬質ウレタンフォーム３１ａと固定具５ｂの水平片５２の上に平場用ポリ塩化ビニル樹脂系防水シート４１ａを敷設し、平場用ポリ塩化ビニル樹脂系防水シート４１ａはニトリルゴム系接着剤により硬質ウレタンフォーム３１ａに固定した。この時、水平片５２は硬質ウレタンフォーム３１ａと平場用ポリ塩化ビニル樹脂系防水シート４１ａの間にくるように配置する。なお、平場用ポリ塩化ビニル樹脂系防水シート４１ａは間隔をあけて水平床１に塗布した変性シリコーン系接着剤７ａにより固定した。水平片５２と平場用ポリ塩化ビニル樹脂系防水シート４１ａとは溶剤により溶着し、平場用ポリ塩化ビニル樹脂系防水シート４１ａを固定具５ｂに固定した。
【産業上の利用可能性】
【００４９】
本発明によれば、下地を傷付けずに施工したい場合や施工部が狭く工具が使用しにくい場合においても、下地の凹凸に影響されず納まりの良い防水構造、固定具、および施工方法を提供できる。
【符号の説明】
【００５０】
Ｓ    下地
Ｉ    入隅部
Ｍ    下地板目地
１    水平床
２    立上がり壁
３    下地板
４    防水層
４１防水シート
５    固定具
５１立上がり片
５２水平片
５３爪部
６    接合剤
１０    下地の凹凸
【図１】
2020070691.tif 000003
【図２】
2020070691.tif 000004
【図３】
2020070691.tif 000005
【図４】
2020070691.tif 000006
【図５】
2020070691.tif 000007
【図６】
2020070691.tif 000008
【図７】
2020070691.tif 000009
【図８】
2020070691.tif 000010
【図９】
2020070691.tif 000011